(57)【要約】【課題】電源投入中で再生状態であっても予約録画が可能なハードディスクレコーダの録画予約方式および録画予約装置を提供する。【解決手段】ＨＤＤ６の電源が投入されて蓄積されている画像を再生しているときに、制御部１０はチューナ２から出力される最も予約開始時間の早い番組を選択し、その番組に対応するラベルを取得し、選択した受信中の番組と予約した番組のラベルとが一致していればその番組をＨＤＤ６に蓄積し、不一致であればその受信している番組と同じ予約番組を選択する。【選択図】　　　　図１
2004140625.tif 000002
【特許請求の範囲】
【請求項１】
各番組に対応して送られてくる番組内容を示すラベルを用いて録画予約を行なって番組をハードディスクに蓄積し、蓄積処理中であっても蓄積した番組を蓄積している範囲内の任意の箇所から再生し、利用者の操作によって番組視聴中に番組表示の一時停止や表示速度を変更するタイムシフト再生機能を有するハードディスクレコーダにおいて、
前記ハードディスクの電源が投入されて蓄積されている画像を再生しているときに、最も予約開始時間の早い番組を選択し、その番組に対応するラベルを取得し、選択した受信中の番組と予約した番組のラベルとが一致していればその番組の蓄積を行ない、不一致であればその受信している番組と同じ予約番組を選択することを特徴とする、ハードディスクレコーダの予約録画方式。
【請求項２】
各番組に対応して送られてくる番組内容を示すラベルを用いて録画予約を行なって番組をハードディスクに蓄積し、蓄積処理中であっても蓄積した番組を蓄積している範囲内の任意の箇所から再生し、利用者の操作によって番組視聴中に番組表示の一時停止や表示速度を変更するタイムシフト再生機能を有するハードディスクレコーダであって、
前記ハードディスクの電源が投入されて蓄積されている画像を再生しているときに、最も予約開始時間の早い番組を選択し、その番組に対応するラベルを取得する番組取得手段と、
前記番組取得手段で取得した受信中の番組と予約した番組のラベルとが一致していればその番組の蓄積を行ない、不一致であればその受信している番組と同じ予約番組を選択する番組選択手段を備えたことを特徴とする、ハードディスクレコーダの予約録画装置。
【請求項３】
各番組に対応して送られてくる番組内容を示すラベルを用いて録画予約を行なって番組をハードディスクに蓄積し、蓄積した番組を再生可能なハードディスクレコーダであって、
前記ハードディスクの電源が投入されて蓄積されている画像を再生しているときに、最も予約開始時間の早い番組を選択し、その番組に対応するラベルを取得する番組取得手段と、
前記番組取得手段で取得した受信中の番組と予約した番組のラベルとが一致していればその番組の蓄積を行なう番組選択手段とを備えたことを特徴とする、ハードディスクレコーダの予約録画装置。
【発明の詳細な説明】
【０００１】
【発明の属する技術分野】
この発明はハードディスクレコーダの予約録画方式および予約録画装置に関し、特に、受信中の番組をハードディスクに蓄積し、蓄積した番組を表示可能であって、録画予約が可能なハードディスクレコーダの予約録画方式および予約録画装置に関する。
【０００２】
【従来の技術】
ハードディスクレコーダとしては特開２００２−４４５４２号公報に記載されたＴＶ番組視聴装置がある。このようなハードディスクレコーダは大容量のハードディスク（以下、ＨＤＤと称する）が安価に製造できるようになったことに伴い実用化されたものである。従来のビデオテープレコーダ（以下、ＶＴＲ）では、録画と再生のいずれか一方しか動作させることができないため、録画を終了し終えた後でなければ録画した番組を再生できない。
【０００３】
これに対して、ハードディスクレコーダでは、受信中の番組を蓄積し、蓄積処理中であっても蓄積した番組を蓄積している範囲内の任意の箇所から表示し、利用者の操作によって番組視聴中に番組表示の一時停止や表示速度を変更するタイムシフト再生機能を有している。そして、タイムシフト再生機能を利用して番組をハードディスクに蓄積処理中であっても蓄積した番組を蓄積している範囲内の任意の箇所から表示できるという特徴がある。
【０００４】
ところで、ヨーロッパでは各番組に対応して４秒ごとにラベルが出力されており、このラベルを利用して録画予約が行なわれる。このラベルは放送年月日時分およびチャネル番号などの情報がコード化されている。このラベル情報を利用してＶＴＲで電源のオフ時に録画予約することが可能になっているが、当然のことながら再生中あるいは録画中に録画の予約はできない。
【０００５】
【特許文献１】
特開２００２−４４５４２号公報
【０００６】
【発明が解決しようとする課題】
一方、ハードディスクレコーダにおいてもラベルを利用して録画予約が可能である。たとえば、図３（ａ）に示すように電源オフ時に、ラベルを利用して時刻Ｔ１でチャネル１の番組を録画し、その後時刻Ｔ２でチャネル２の番組を録画し、時刻Ｔ３でチャネル３の番組を録画した後、時刻Ｔ４再度チャネル１の番組を録画し、時刻Ｔ５でチヤネル２の番組を録画し、最後に時刻Ｔ６でチャネル３の番組を録画するようにハードディスクレコーダに予約設定したものとする。ハードディスクレコーダでは、予約された時刻Ｔ１になるとチャネル１の番組で送られてくるラベルと予約時のラベルとを照合し、一致していれば録画を開始する。そして、時刻Ｔ２になるとチャネル１からチャネル２に切換えて、同様にしてラベルの照合が行なわれる。
【０００７】
また、ハードディスクレコーダでは同じチャネルの再生と録画を同時にすることが可能であるため、ＶＴＲとは異なり電源をオンしてあるチャネルを再生している状態でも予約動作することが可能である。この場合、図３（ｂ）に示すように、電源をオンしてチャネル１の番組を再生しているときに、時刻Ｔ１，Ｔ４でチャネル１を録画するように予約したとする。しかし、時刻Ｔ２でチャネル２を録画しようと予約したくても、チャネルの変更ができないのでチャネルを切換えてラベルの情報を取得することができない。このため、電源オン中にチャネル切換を行なうと警報を発するしかなかった。
【０００８】
それゆえに、この発明の主たる目的は、電源投入中で再生状態であっても予約録画が可能なハードディスクレコーダの予約録画方式および予約録画装置を提供することである。
【０００９】
【課題を解決するための手段】
この発明は、各番組に対応して送られてくる番組内容を示すラベルを用いて録画予約を行なって番組をハードディスクに蓄積し、蓄積処理中であっても蓄積した番組を蓄積している範囲内の任意の箇所から再生し、利用者の操作によって番組視聴中に番組表示の一時停止や表示速度を変更するタイムシフト再生機能を有するハードディスクレコーダの予約録画方式であって、ハードディスクの電源が投入されて蓄積されている画像を再生しているときに、最も予約開始時間の早い番組を選択し、その番組に対応するラベルを取得し、選択した受信中の番組と予約した番組のラベルとが一致していればその番組の蓄積を行ない、不一致であればその受信している番組と同じ予約番組を選択することを特徴とする。
【００１０】
他の発明は、各番組に対応して送られてくる番組内容を示すラベルを用いて録画予約を行なって番組をハードディスクに蓄積し、蓄積処理中であっても蓄積した番組を蓄積している範囲内の任意の箇所から再生し、利用者の操作によって番組視聴中に番組表示の一時停止や表示速度を変更するタイムシフト再生機能を有するハードディスクレコーダの予約録画装置であって、ハードディスクの電源が投入されて蓄積されている画像を再生しているときに、最も予約開始時間の早い番組を選択し、その番組に対応するラベルを取得する番組取得手段と、番組取得手段で取得した受信中の番組と予約した番組のラベルとが一致していればその番組の蓄積を行ない、不一致であればその受信している番組と同じ予約番組を選択する番組選択手段とを備えたことを特徴とする。
【００１１】
さらに、他の発明は、各番組に対応して送られてくる番組内容を示すラベルを用いて録画予約を行なって番組をハードディスクに蓄積し、蓄積した番組を再生可能なハードディスクレコーダの予約録画装置であって、ハードディスクの電源が投入されて蓄積されている画像を再生しているときに、最も予約開始時間の早い番組を選択し、その番組に対応するラベルを取得する番組取得手段と、番組取得手段で取得した受信中の番組と予約した番組のラベルとが一致していればその番組の蓄積を行なう番組選択手段とを備えたことを特徴とする。
【００１２】
【発明の実施の形態】
図１はこの発明の一実施形態におけるハードディスクレコーダのブロック図である。図１において、外部入力の映像信号はＡ／Ｄ変換器１によってデジタル信号に変換されて圧縮処理部４に与えられ、アンテナからの映像信号はチューナ２で受信され、Ａ／Ｄ変換器３でデジタル信号に変換されて圧縮処理部４に与えられる。圧縮処理部４は入力された映像信号の情報量を少なくするために圧縮処理を行なってＨＤＤ６に蓄積する。記憶部５は半導体メモリなどで構成されており、ＨＤＤ６に蓄積した番組に関する情報を記憶する。
【００１３】
ＨＤＤ６に蓄積された映像信号が読み出されると、その映像信号に関連する情報も記憶部５から読み出されて伸張処理部７に与えられて元の番組の映像信号に伸張処理が行なわれる。そして、その映像信号はＤ／Ａ変換器８によってアナログ信号に変換されて外部に出力される。なお、ハードディスクレコーダにはＤＶＤ再生機９も搭載されており、ＤＶＤ再生機９からも映像信号が出力される。
【００１４】
制御部１０は圧縮処理部４，ＨＤＤ６，伸張処理部７およびＤＶＤ再生機９の制御を行なうとともに、タイマ機能を有しており、予約録画の処理も実行する。すなわち、制御部１０には録画予約に必要な入力キー１１が接続されており、入力キー１１を操作することにより、録画すべきチャネル番号を選択し、録画時間やラベル情報を入力する。
【００１５】
図２はこの発明の一実施形態におけるハードディスクレコーダの予約録画動作を説明するためのフローチャートである。
【００１６】
図２に示すフローチャートは、図１に示した制御部１０で番組を予約して予約した番組をＨＤＤ６に録画する動作について示している。たとえばチューナ２の出力でチャネル１の再生番組を見ているときに、たとえば予約した時間の１５分前になると、ステップＳＰ（図示ではＳＰと略称する）１において、最も予約開始時間の早い予約のチャネルを選択してチューナ２によって受信させる。
【００１７】
ステップＳＰ２においてチューナ２の出力より選択した現在受信中の番組のラベルを取得する。ステップＳＰ３において選択した現在受信中の番組と録画予約した番組のラベルとが一致しているか否かを判別する。一致していれば予約した番組がチューナ２によって受信されたものと判別できるので、ステップＳＰ４において録画を開始する。もし、一致しておらず予約した番組以外の番組が受信されていればステップＳＰ５において、その受信している番組と同じチャネルの予約番組を選択する。
【００１８】
すなわち、たとえば前述の図３（ｂ）に示すように電源オン中に時刻Ｔ１でチャネル１の録画を予約していたとすると、時刻Ｔ１の予約を選択してチューナ２によってチャンネル１の番組を受信し、その受信した番組のラベルと予約した番組のラベルとが一致していれば、チャネル１の番組の録画を行なう。時刻Ｔ２になると予約およびラベルのチェックを行なうが、時刻Ｔ２では異なるチャネルが予約されているので時刻Ｔ１の予約番組を引き続き録画する。時刻Ｔ３においても同様に時刻Ｔ１の予約番組を引き続き録画する。時刻Ｔ４の１５分前になると時刻Ｔ４で予約されているチャネル１の番組を受信して録画する。
【００１９】
なお、時刻Ｔ１でチャネル１を録画し、時刻Ｔ２になったときにチャネル１の録画をキャンセルすると、時刻Ｔ２で予約されているチャネル２の番組を録画する。これにより、電源をオンして録画した番組を再生中であっても選択した番組と予約した番組のラベルが一致していればその予約番組の録画を続け、選択した番組と予約した番組のラベルが一致していなければ、選択している番組の同じチャネルの番組を選択するようにしたので、不必要にチャネルが切換えられて録画されてしまうことがない。
【００２０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００２１】
【発明の効果】
以上のように、この発明によれば、ハードディスクの電源が投入されて蓄積されている画像を再生しているときに、最も予約開始時間の早い番組を選択し、その番組に対応するラベルを取得し、選択した受信中の番組と予約した番組のラベルとが一致していればその番組の蓄積を行ない、不一致であればその受信している番組と同じ予約番組を選択するようにしたので、、電源投入中で再生状態であっても予約録画が可能になる。
【図面の簡単な説明】
【図１】この発明の一実施形態におけるハードディスクレコーダのブロック図である。
【図２】この発明の一実施形態におけるハードディスクレコーダの予約録画動作を説明するためのフローチャートである。
【図３】ラベルを用いた録画動作の従来例を説明するための図である。
【符号の説明】
１，３　Ａ／Ｄ変換器、２　チューナ、４　圧縮処理部、５　記憶部、６　ＨＤＤ、７　伸張処理部、８　Ｄ／Ａ変換器、９　ＤＶＤ再生機、１０　制御部、１１　入力キー。
【図１】
2004140625.tif 000003
【図２】
2004140625.tif 000004
【図３】
2004140625.tif 000005